(57)【特許請求の範囲】
【請求項１】
ファンモータ及びこのファンモータにより回転駆動されるファンを備えると共に、円筒状主部、この円筒状主部の中間部の外周に形成されたフランジ部及び前記円筒状主部の先端側を構成する前記フランジ部から前方に突出した通風胴部を備えた本体と、
この本体の前面部に着脱可能に取り付けられ、前記ファンにより吸引される室内空気を通す通気口を形成した化粧枠と、
この化粧枠の前面部に前後方向に移動可能に設けられ、その前後方向移動により前記化粧枠の通気口を開閉する開閉体と、
この開閉体を後方に付勢して常には該開閉体が前記通気口を閉鎖した状態に保持する弾性部材と、
前記本体に回動可能に支持された軸部および軸部の回動により前記開閉体にその裏側から当接した状態で旋回する旋回アーム部を有し、該旋回アーム部の旋回により前記開閉体を前記弾性部材の弾発力に抗して前方に押圧移動させて前記化粧枠の通気口を開放する操作部材と、
換気運転開始時に起動し、前記操作部材を回動させる開閉用モータとを具備し、
前記本体の前部には、前記通風胴部の先端部に形成された一対の切欠凹部と、前記通風胴部の両外側に位置して突設された引掛部を有した一対の起立片とを備え、
前記操作部材の軸部は、前記通風胴部の一対の切欠凹部と起立片の引掛部との間に挟持して回動可能に支持され、
前記操作部材の旋回アーム部は、前記通用胴部の内側に位置する部位に形成され、前記化粧枠の通気口を通して開閉体の裏側に当接することを特徴とする換気扇。
【請求項２】
化粧枠の通気口は後方に向かって突出するベルマウスにより構成され、操作部材はそのベルマウスの内側を横切るように設けられていると共に、当該ベルマウスの後端側の左右両側には操作部材の軸部を嵌め込む一対の切欠凹部が形成されていることを特徴とする請求項１記載の換気扇。
【請求項３】
開閉体は、後方に突出する摺動軸を、化粧枠に設けられた筒状の受け部に前後方向に摺動可能に挿通することにより、前後方向に移動可能に支持され、
弾性部材は、前記摺動軸と化粧枠との間に弾発力を及ぼして開閉体を後方に付勢する構成であることを特徴とする請求項１または２記載の換気扇。
【請求項４】
開閉体には、受け部の外側に嵌合する防塵筒部が突設され、この防塵筒部と受け部との嵌合長さは、開閉体の前後方向の移動量以上に定められていることを特徴とする請求項３記載の換気扇。
【請求項５】
開閉体は中央部に弾性部材を収容したボス部を有し、該ボス部は化粧枠に前後方向に移動可能に支持されると共に、前記弾性部材により前記開閉体を後方に付勢して当該開閉体を閉鎖状態に保持し、操作部材の旋回アーム部を前記ボス部の後端面に接して当該ボス部を介して開閉体を前方に押圧移動されるように構成されていることを特徴とする請求項１記載の換気扇。
【発明の詳細な説明】
【０００１】
【産業上の利用分野】
本発明は化粧枠の通気口を前後方向に移動する開閉体により室内側から開閉する構成の換気扇に関する。
【０００２】
【従来の技術】
例えばパイプファンと称されるパイプ用換気扇は、室壁に設けられたダクト用のパイプに挿入して取り付けられる本体と、この本体の前面部に着脱可能に取り付けられる化粧枠とから構成されており、本体にはファンモータ及びこのファンモータにより回転されるファンが設けられ、化粧枠にはファンにより吸入される室内の空気を通す通気口が形成されている。
【０００３】
このようなパイプ用換気扇では、通気口を通じて本体内のファンやモータ等が見えるため、外観が悪いという問題がある。この問題を解消するものとして、特開平５−９９４６６号公報に示されているように、化粧枠（グリル）の内側に複数枚のシャッタを回動可能に設け、このシャッタをソレノイドにより開閉動作させることが考えられている。
【０００４】
【発明が解決しようとする課題】
しかしながら、この構成のものでは、通気口の閉鎖状態において、複数枚のシャッタの重なり部分等に隙間が生じるため、その隙間から外気が室内に侵入し、特に外気温度が低くなる冬季では、その隙間を通じて室内に侵入する冷たい外気により寒さを感じる。
【０００５】
また、通気口の開放時には、シャッタが水平に近い状態に開回動するため、シャッタ相互間の隙間からファンやファンモータが見えるようになり、従って換気運転中はシャッタによりファンやファンモータを隠すことを期待することはできないものであった。
【０００６】
更に、シャッタの開閉のための駆動源としてソレノイドを使用しているため、その可動鉄心の吸引時に大きな衝撃音が発生し、またシャッタの閉鎖時にはシャッタどうしがぶつかり合って衝突音が発生するという問題があった。
【０００７】
本発明は上記の事情に鑑みてなされたもので、その目的は、通気口の閉鎖時すなわち換気運転停止時には通気口を確実に閉鎖してファンやファンモータを見えないように隠すことができる上、外気の侵入をより確実に防止でき、しかも通気口の開放時すなわち換気運転中であってもファンやファンモータを見え難くすることができ、且つ通気口を開閉する動作を低騒音にて行うことができる換気扇を提供するにある。
【０００８】
【課題を解決するための手段】
上記の目的を達成するために、請求項１記載の換気扇は、ファンモータ及びこのファンモータにより回転駆動されるファンを備えると共に、円筒状主部、この円筒状主部の中間部の外周に形成されたフランジ部及び前記円筒状主部の先端側を構成する前記フランジ部から前方に突出した通風胴部を備えた本体と、この本体の前面部に着脱可能に取り付けられ、前記ファンにより吸引される室内空気を通す通気口を形成した化粧枠と、この化粧枠の前面部に前後方向に移動可能に設けられ、その前後方向移動により前記化粧枠の通気口を開閉する開閉体と、この開閉体を後方に付勢して常には該開閉体が前記通気口を閉鎖した状態に保持する弾性部材と、前記本体に回動可能に支持された軸部および軸部の回動により前記開閉体にその裏側から当接した状態で旋回する旋回アーム部を有し、該旋回アーム部の旋回により前記開閉体を前記弾性部材の弾発力に抗して前方に押圧移動させて前記化粧枠の通気口を開放する操作部材と、換気運転開始時に起動し、前記操作部材を回動させる開閉用モータとを具備し、前記本体の前部には、前記通風胴部の先端部に形成された一対の切欠凹部と、前記通風胴部の両外側に位置して突設された引掛部を有した一対の起立片とを備え、前記操作部材の軸部は、前記通風胴部の一対の切欠凹部と起立片の引掛部との間に挟持して回動可能に支持され、前記操作部材の旋回アーム部は、前記通用胴部の内側に位置する部位に形成され、前記化粧枠の通気口を通して開閉体の裏側に当接することを特徴とする。
【０００９】
請求項２記載の換気扇は、化粧枠の通気口は後方に向かって突出するベルマウスにより構成され、操作部材はそのベルマウスの内側を横切るように設けられていると共に、当該ベルマウスの後端側の左右両側には操作部材の軸部を嵌め込む一対の切欠凹部が形成されていることを特徴とするものである。
【００１０】
請求項３記載の換気扇は、開閉体は、後方に突出する摺動軸を、化粧枠に設けられた筒状の受け部に前後方向に摺動可能に挿通することにより、前後方向に移動可能に支持され、弾性部材は、前記摺動軸と化粧枠との間に弾発力を及ぼして開閉体を後方に付勢する構成であることを特徴とするものである。
【００１１】
請求項４記載の換気扇は、開閉体には、受け部の外側に嵌合する防塵筒部が突設され、この防塵筒部と受け部との嵌合長さは、開閉体の前後方向の移動量以上に定められていることを特徴とするものである。
【００１２】
請求項５記載の換気扇は、開閉体は中央部に弾性部材を収容したボス部を有し、該ボス部は化粧枠に前後方向に移動可能に支持されると共に、前記弾性部材により前記開閉体を後方に付勢して当該開閉体を閉鎖状態に保持し、操作部材の旋回アーム部を前記ボス部の後端面に接して当該ボス部を介して開閉体を前方に押圧移動されるように構成されていることを特徴とするものである。
【００１７】
【作用】
請求項１記載の手段によれば、換気運転の停止時にあっては、開閉体は弾性部材の付勢力により後方に移動されて通気口を閉鎖している。換気運転時に開閉用モータが起動すると、操作部材が回動して旋回アーム部により開閉体を弾性部材の付勢力に抗して前方に移動させて通気口を開放する。そして、室内空気はファンモータにより回転駆動されるファンにより、開閉体と化粧板との間に存在する隙間から通気口を介して吸入され、室外へと排出される。この換気運転中にあっても、開閉体は通気口の前方に位置してファンやファンモータを見え難い状態にしている。また、操作部材の軸部は、通風胴部に形成された切欠凹部と起立片に形成された引掛部との間に回動可能に支持されるので、操作部材が開閉体の後面に接触しつつ回動することはない。更に、操作部材の旋回アーム部は通気口を通して開閉体に当接するので、化粧枠に旋回アーム部を前方に突出させるための開口部を別に形成する必要がない。
【００１８】
請求項２記載の手段によれば、ベルマウスに操作部材の軸部を嵌め込む切欠凹部が形成されているので、化粧枠全体の前後方向の寸法を小さくできる。
【００１９】
請求項３記載の手段によれば、弾性部材の付勢力は摺動軸に対して軸方向に作用するので、弾性圧材の付勢力によって摺動軸がこじられるおそれがなく、開閉体は円滑に前後に移動する。
【００２０】
請求項４記載の手段によれば、開閉体が前方に移動すると、摺動軸は受け部から前方に突出するが、摺動軸は防塵筒部により包囲された状態にあるので、排出される室内空気中の塵埃が摺動軸に付着することを防止できる。
【００２１】
請求項５記載の手段によれば、ボス部とこれを嵌合支持する受け座との間にこじり力が作用するおそれがない。
【００２２】
【実施例】
以下、本発明をパイプ用換気扇に適用した第１実施例につき、図１〜図７を参照しながら説明する。
パイプ用換気扇の全体構成を示す図２において、室壁１には室内と室外とを連通するダクト用のパイプ２が埋設されており、このパイプ２にはパイプ用換気扇の本体３が室内側からの挿入により着脱可能に取り付けられている。この本体３はプラスチック製のもので、円筒状主部４の中間部の外周にフランジ部５を一体に形成して構成されている。そして、円筒状主部４の後方部外周には取付部材としての板ばね６が取着されており、この板ばね６がパイプ２の内周面に圧接することによりパイプ２からの円筒状主部４の抜け止めがされている。また、円筒状主部４の後端部にはファンモータ７が固定手段たるねじ８により固定され、このファンモータ７の回転軸７ａに円筒状主部４の内側に位置するファン９が着脱可能に嵌着されている。
【００２３】
上記本体３の前面部にはプラスチック製の化粧枠１０が着脱可能に装着されている。この化粧枠１０の着脱可能な取付構成は、該化粧枠１０の周壁部１０ａの上下両内面に突設された係合部としての突部１０ｂをフランジ部５の上下両外面に突設された被係合部としての突部５ａに弾性係合させ、周壁部１０ａの下部をフランジ部５にねじ（図示せず）により固定するという周知のものである。この化粧枠１０には通気口としてのベルマウス１１が形成されており、本体３への化粧枠１０の取付状態においては、本体３の通風胴部、すなわちフランジ部５から前方に突出する円筒状主部４の先端たる前端が化粧枠１０の後面に当接している。そして、円筒状主部４の内側に化粧枠１０のベルマウス１１が突出しており、従ってベルマウス１１は円筒状主部３に連通され、ファン９の回転により室内空気がベルマウス１１を通じて円筒状主部４内に吸引されるようになっている。
【００２４】
さて、化粧枠１０の前部下側にはその左右方向両端間にわたって突出部１０ｃが設けられており、この突出部１０ｃの上部に開閉体としての飾り板１２が前後方向に移動可能に設けられている。飾り板１２はプラスチック製で、図３および図７に示すように、化粧枠１０のうち、突出部１０ｃよりも上方の部位と同一大の矩形状に形成されている。
【００２５】
ここで飾り板１２の支持構成につき図３および図４により説明するに、化粧枠１０にはベルマウス１１の左右両側に位置して一対の受け部１３が一体に形成されている。この受け部１３は二重筒形をなし、外筒部１３ａは化粧枠１０から後方に突出する筒状の基部１３ｂから前方に突出され、内筒部１３ｃは外筒部１３ａの前端部から後方に突出されている。そして、外筒部１３ａと基部１３ｂとの間には前側に開放する環状溝１４が形成されていとる共に、外筒部１３ａと内筒部１３ｃとの間には後方に開放する環状溝１５が形成されている。一方、飾り板１２には、一対の受け部１３に対応する一対の摺動軸１６が一体に突設されており、この摺動軸１６の外周部には図５に示すように軸方向に延びる複数本のリブ１６ａが一体に突設されている。そして、この摺動軸１６は受け部１３の内筒部１３ｃを軸受として当該内筒部１３ｃに前後方向に摺動可能に挿通支持されている。
【００２６】
このような支持構成の飾り板１２は、後方に移動されると周壁部１２ａの後端部が化粧枠１０の前面に当接してベルマウス１１を閉鎖し、前方に移動されると周壁部１２ａが化粧枠１０の前面から離れて図１に示すように化粧枠１０との間に上下左右に開放する通気隙間１７を形成してベルマウス１１が開放された状態にする。そして、前記受け部１３の内外両筒部１３ａおよび１３ｃ間の環状溝１５に弾性部材としての圧縮コイルばね１８が挿入されており、この圧縮コイルばね１８の後端部は前記摺動軸１６の後端部にねじ１９により固定された受け座２０に受けられている。これにより、圧縮コイルばね１８は受け部１３と摺動軸１６との間に弾発力を及ぼして飾り板１２を常時後方に付勢し、常にはベルマウス１１が飾り板１２により閉鎖された状態に保持する。なお、飾り板１２が後方に移動した状態では、図７に示すように飾り板１２が化粧枠１０の突出部１０ｃと面一となるように構成し、外観の向上を図っている。
【００２７】
また、飾り板１２の後面には、図５にも示すように防塵筒部１２ｂが一体に突設されており、この防塵筒部１２ｂは受け部１３の外筒部１３ａの外周に摺動可能に嵌合されている。この防塵筒部１２ｂの突出長さＬは飾り板１２の前後方向の移動量以上となるように設定され、後述のようにして飾り板１２が前方に移動しても、外筒部１３ａとの嵌合状態を維持し得るように構成されている。なお、飾り板１２が後方に移動した状態では、防塵筒部１２ｂは環状溝１４内に挿入された状態となっている。
【００２８】
かかる飾り板１２は図２および図３に示す開閉装置２１によって前方に移動されるようになっている。この開閉装置２１は、回動により飾り板１２を開放動作させる操作部材２２、この操作部材２２を回動動作させるための開閉用モータたる巻取モータ２３を駆動源とする巻取機構２４とから構成されている。
【００２９】
上記操作部材２２は金属線材例えばばね線からなるもので、中央部に略コ字形の旋回アーム部２２ａが形成されていると共に、一端側たる左端側に偏った位置に同じく略コ字形のクランク部２２ｂが形成されており、その他の部分は回動中心たる軸部２２ｃとされている。この操作部材２２を水平状態に支持するために、図６にも示すように、前記本体３の円筒状主部４の前端部の左右両側には一対の略Ｕ字形の切欠凹部２５が形成されていると共に、フランジ部５の前面には円筒状主部４の左右両外側に位置して一対の起立片２６と、右側の起立片２６の右外側に位置して１本の突片状ストッパ２７が一体に突設されており、そのうち一対の起立片２６には引掛部たる略Ｕ字形の長溝２８が形成されている。
【００３０】
なお、長溝２８はフランジ部５まで延びており、フランジ部５に形成された小孔５ｂは長溝２８の成形型の型抜き孔である。そして、操作部材２２の軸部２２ｃは、旋回アーム部２２ａの左右両側が円筒状主部４の一対の切欠凹部２５に嵌入されていると共に、両先端部が一対の起立片２６の長溝２８に挿入されており、これにて操作部材２２の軸部２２ｃが切欠凹部２５の後端部と長溝２８の前端部との間に挟持されるようにして回動可能に支持された状態となっている。
【００３１】
なお、操作部材２２の軸部２２ｃを長溝２８に挿入するには、図６に二点鎖線で示すように旋回アーム部２２ａを縮めるように弾性変形させた状態で、軸部２２ｃの左右両端部を両長溝２８に挿入するものであり、その長溝２８からの左右方向の抜け止めはクランク部２２ｂが左側の起立片２６に当接すると共に、軸部２２ｃの右端がストッパ２７に当接することによってなされる。
【００３２】
そして、上述のようにして回動可能に支持された操作部材２２は円筒状主部４の切欠凹部２５に嵌入されていることにより、該円筒状主部４の前端が化粧枠１０の後面に当接しているにも拘らず該化粧枠１０の後面から離れた状態になされている。また、操作部材２２の旋回アーム部２２ａは円筒状主部４の内側に位置されていてベルマウス１１内を通じて直接的に飾り板１２の裏側この実施例では後面に当接するようになっている。ここで、ベルマウス１１は円筒状主部４内に突出しており、その後端側の左右両側には切欠凹部としての切欠溝１１ａが形成されている。そして、ベルマウス１１の内側を横切るように配設された操作部材２２の軸部２２ｃが切欠溝１１ａに嵌め込まれた状態になっている。
【００３３】
一方、巻取機構２４の巻取モータ２３はメカニックモータと通称されるもので、途中にトルクリミッタ例えば摩擦クラッチを有する減速用のギヤトレーンを内設した周知構成のものである。かかる巻取モータ２３はフランジ部５の前面の左下隅部に配設されており、その出力軸２３ａには巻取部材としての巻取ローラ２９が取着されている。そして、巻取ローラ２９には条部材例えば金属の撚線からなるワイヤ３０の一端部が取着され、そのワイヤ３０の他端部は円筒状主部４の左外側にあって巻取ローラ２９の上方に位置する前記操作部材２２のクランク部２２ｂに取着されている。従って、巻取ローラ２９がモータ２３の出力軸２３ａにより一方向に回転されると、ワイヤ３０が巻取ローラ２９に巻き取られてクランク部２２ｂを下方に引っ張るようになっており、この引張り力により操作部材２２が矢印Ａ方向に回動されるようになっている。
【００３４】
次に上記構成の作用を説明する。
換気運転停止状態では、図２に示すように飾り板１２がベルマウス１１を閉鎖した状態にあり、この状態では操作部材２２の旋回アーム部２２ａは下向きの状態にある。この状態から換気運転を行うべく、図示しない電源スイッチをオン操作すると、ファンモータ７および巻取機構２４の巻取モータ２３が通電される。これにより巻取ローラ２９が一方向に回転されてワイヤ３０を巻き取り、操作部材２２を矢印Ａ方向に回動させる。
【００３５】
この操作部材２２の矢印Ａ方向の回動により、その旋回アーム部２２ａが飾り板１２の後面に当接して下向きの状態から上方に向かって旋回するため、図１に示すように飾り板１２が旋回アーム部２２ａに押圧されて圧縮コイルばね１８の付勢力に抗して前方に平行移動し、ベルマウス１１を開放して化粧枠１０との間に通気隙間１７を形成する。
【００３６】
このとき、飾り板１２は受け座２０が受部１３に当接することにより前方移動を停止し、これにより巻取ローラ２９の回転が強制的に停止されるが、その巻取ローラ２９の回転停止後も巻取モータ２４は通電状態に維持される。かかる状態での巻取モータ２４の回転は、減速用のギヤトレーン中に設けられたトルクリミッタ例えば摩擦クラッチがスリップすることにより吸収されるようになっており、これにより巻取モータ２４の焼損等が防止される。
【００３７】
一方、ファンモータ７の通電によりファン９が回転され、これによりファン９が室内空気を通気隙間１７およびベルマウス１１を通じて円筒状主部３内に吸引し、パイプ２を通じて室外に排出するという換気運転が行われる。この換気運転において、飾り板１２の前方移動により摺動軸１６の前半部が受け部１３から前方に突出するが、その摺動軸１６の前半部は防塵筒部１２ｂにより覆われているので、化粧枠１０と飾り板１２との間の通気隙間１７を流れる室内空気中の塵埃等が摺動軸１６に付着するおそれはない。このため、摺動軸１６に塵埃等が付着することにより、内筒部１３ｃと摺動軸１６との間に塵埃等が入り込んで摺動抵抗となるおそれがなく、摺動軸１６は円滑に前後に摺動する。また、仮に摺動軸１６に塵埃等が付着しても、該摺動軸１６の外周部にはリブ１６ａが突設されているので、塵埃等は内筒部１３ｃとの摺動によりリブ１６ａ相互間の隙間に掻き落とされるようになるので、長期にわたり週度軸１６の円滑なる前後摺動を保証できる。
【００３８】
そして、換気運転を停止すべく、図示しない電源スイッチをオフ操作すると、巻取モータ２１が断電されるため、飾り板１２が圧縮コイルばね１８の弾発力により後方に移動してベルマウス１１を閉鎖する。このとき、操作部材２２は飾り板１２の後方移動に伴い、巻取ローラ２９を他方向に回転させてワイヤ３０を巻き戻しながら矢印Ａとは反対方向に回動する。
【００３９】
このように本実施例によれば、換気運転の停止時には、飾り板１２の周壁部１２ａが化粧板１０に当接することによりベルマウス１１を閉鎖するので、飾り板１２によりファンモータ７やファン９を見えないように隠すことができる。しかも、複数枚の回動式シャッタにより通気口を開閉する構成のものとは異なり、閉鎖時に複数枚のシャッタの重なり部分に隙間が生じたり、シャッタの両端と化粧枠の内側面との間に隙間が生じたりすることがないので、ベルマウス１１をより確実に閉鎖することができ、外気が室内に入り込むことをより確実に防止することができる。
【００４０】
また、換気運転時においては、飾り板１２が前方へ平行移動して化粧枠１０との間に上下左右方向に開放する通気隙間１７を形成することによりベルマウス１１を開放する構成であるから、複数枚の回動式シャッタにより通気口を開閉する構成のものとは異なり、開放時に複数枚のシャッタ間に生ずる大きな隙間からファンやファンモータが見えるという不具合はなく、より確実にファンモータ７およびファン９を隠すことができ、外観の向上を図ることができる。
【００４１】
特に、本実施例では、化粧枠１０の下部に突出部１０ｃが突設されているので、この突出部１０ｃにより下側の通気隙間１７が狭められるようになるから、パイプ用換気扇が室壁の高所に配置されることを考慮すると、ファンモータ７、ファン９を一層見え難くすることができる。なお、通気隙間１７の下側が狭められても、上側、左右両側の三方から十分に室内空気を吸入し得るので、換気性能が低下するおそれはない。
【００４２】
また、本実施例では、飾り板１２の摺動軸１６を化粧枠１０の受け部１３に摺動可能に挿通支持し、この摺動軸１６に圧縮コイルばね１８を巻装して該圧縮コイルばね１８により摺動軸１６を後方に付勢する構成としたので、圧縮コイルばね１８は摺動軸１６に対して軸方向に沿って後方に付勢する付勢力を及ぼすようになる。このため、摺動軸１６が圧縮コイルばね１８によりこじられるようになるおそれはなく、飾り板１２は常に円滑に前後方向に移動するようになる。
【００４３】
その上、飾り板１２には受け部１３の外筒部１３ａに嵌合する防塵筒部１２ｂが設けられているので、飾り板１２が前方に移動したとき、摺動軸１６が内筒部１３ｃから前方に突出しても、その突出部分は防塵筒部１２ｂにより包囲された状態に維持される。このため通気隙間１７から吸引される室内の空気中に含まれる塵埃等が摺動軸１６に付着することを防止でき、摺動軸１６の外周に塵埃等が付着することによって内筒部１３ｃに対する摺動軸１６の円滑なる摺動が阻害されるおそれがない。
【００４４】
しかも、摺動軸１６の外周部には軸方向に延びるリブ１６ａが突設されているので、仮に摺動軸１６に塵埃等が付着したとしても、その塵埃等はリブ１６ａ間の空隙に掻き落とされるようになり、受け部１３の内筒部１３ｃに対する摺動軸１６の円滑なる摺動が阻害されたり、圧縮コイルばね１８との間に塵埃等が詰まって該圧縮コイルばね１８の伸縮が妨げられたりするといった不具合の発生を未然に防止でき、飾り板１２の円滑なる前後移動を長期にわたり維持することができる。
【００４５】
更に、操作部材２２は本体３の円筒状主部４に形成された切欠凹部２５と起立片２６に形成された長溝２８との間での挟持により回動可能に支持されるので、操作部材２２の位置決めが確実に行われ、ワイヤ３０の引張り力を受けても位置ずれを生ずることがない。しかも、本体３の円筒状主部４の前端が飾り板１２に当接してベルマウス１１から吸引される室内空気が化粧枠１０内に漏れ出ないように構成されていても、操作部材２２は化粧枠１０の後面に当たってその回動が妨げられるというおそれがなく、操作部材２２の円滑なる回動を保証できる。
【００４６】
加えて本実施例では、ベルマウス１１に操作部材２２の軸部２２ｃが嵌まり込む切欠溝１１ａを形成したので、それだけベルマウス１１を本体３の円筒状主部４の内側に長く、この実施例ではベルマウス１１の全体を円筒状主部４内に突出させることができる。このため、ベルマウス１１に切欠溝１１ａを設けないものに比べ、化粧枠１０の厚さ（前後方向の長さ寸法）を薄くでき、このことは本体３を取り付けた室壁１からの化粧枠１０の突出量を小さくできることを意味し、外観上優れる。この場合、本実施例では円筒状主部４にも切欠凹部２５が形成されていることにより、その分、軸部２２ｃを後方に配置できるので、化粧枠１０をより一層薄くすることができる。
【００４７】
また、操作部材２２の旋回アーム部２２ａは円筒状主部４の内側に位置されてベルマウス１１を通じて飾り板１２の後面に直接的に当接するので、化粧枠１０に旋回アーム部２２ａを飾り板１２に当接させるための開口部を別に形成せずとも済む。
【００４８】
その上、操作部材２２は本体３側に取り付けられ、その旋回アーム部２２ａは飾り板１２に当接しているだけであるから、化粧枠１０を本体３から外すことにより飾り板１２も本体３から取り外すことができるので、化粧枠１０、飾り板１２の掃除等の場合に便利である。
また、操作部材２２の回動のための駆動源は巻取モータ２３であるから、ソレノイドの場合とは異なり、大きな衝撃音は発生せず、低騒音となる。
【００４９】
図８および図９は本発明の第２実施例を示すもので、前記第１実施例との相違は飾り板１２を後方に付勢する弾性部材として板ばね３１を用いたところにある。すなわち、板ばね３１の一端部は飾り板１２の摺動軸１６の後端部にねじ３２により固定され、他端部は化粧枠１０の後面に圧接している。そして、この板ばね３１は化粧枠１０と摺動軸１６との間に付勢力を及ぼして飾り板１２を後方に付勢している。なお、この実施例では、摺動軸１６を支持する受け部１３は一重筒構造となっている。
【００５０】
図１０は本発明の第３実施例を示すもので、前記第１実施例との相違は飾り板１２を後方に付勢する弾性部材として引張りコイルばね３３を用いたところにある。すなわち、化粧枠１０には第１実施例の受け部１３に換えて円筒状の支持部３４が一体に突設されている。一方、飾り板１２には摺動軸１６に換えて円筒状の嵌合部３５が一体に突設されており、この嵌合部３５が支持部３４の外側に前後方向に摺動可能に嵌合支持されている。また、支持部３４の内側には引張りコイルばね３３が配設され、この引張りコイルばね３３の両端部は支持部３４の後端部に取り付けられたキャップ３６および飾り板１２にそれぞれ形成された係合孔３６ａおよび係合輪１２ｃに係合されている。
これら第２および第３の実施例のように構成しても前記第１実施例と同様の効果を得ることができる。
【００５１】
図１１は本発明の第４実施例を示すもので、前記第１実施例と異なるところは、飾り体１２の裏面のうち、操作部材２２の旋回アーム部２２ａが当接する部位に複数本のリブ３７を一体に突設したところにある。
この実施例によれば、飾り体１２の開閉時に旋回アーム部２２ａは飾り体１２に対して上下方向に摺動するため、旋回アーム部２２ａには摺動抵抗が作用するが、旋回アーム部２２ａは直接的にはリブ３７の突出先端面に摺接していてその摺接面積は小さいので、旋回アーム部２２ａが受ける摺動抵抗は小さくなり、円滑に上下摺動するという優れた効果を得ることができる。
【００５２】
図１２〜図１９は本発明の第５実施例を示すもので、以下前記第１実施例を示す図１〜図７と同一機能部分には同一符号を付して示し、異なる部分のみ説明する。
この実施例では、飾り体１２を化粧枠１０に中央部の一箇所で前後方向に移動可能に支持する構成としている。すなわち、図１３に示すように化粧枠１０のベルマウス１１の内側には複数本例えば４本の支持リブ３８が十字状に一体形成されており、その支持リブ３８の中心部分には受け座３９が一体に形成されている。この受け座３９は二重筒状をなし、その内筒部３９ａと外筒部３９ｂとの間には後向きに開放する環状溝４０が形成されている。
【００５３】
一方、図１２に示すように、飾り体１２の裏面の中心部には取付軸４１が一体に突設されており、この取付軸４１には前記受け座３９に支持されるボス部としてのボス筒４２が取り付けられるようになっている。このボス筒４２は界面活性形帯電防止剤を含有したプラスチックにより図１４に示すように二重筒状に形成されており、その内筒部４２ａと外筒部４２ｂとの間には前向きに開放する環状深溝４３が形成されていると共に、内筒部４２ａの後端面は塞がれている。また、ボス筒４２の内外両筒部４２ａ，４２ｂには前端から後方に向けて４本の割り溝４４が形成されている。
【００５４】
そして、ボス筒４２を取付軸４１に取り付けるには、まず飾り体１２の取付軸４１を化粧枠１０の受け座３９の内筒部３９ａ内に前方から挿通すると共に、受け座３９の環状溝４０に弾性部材としての圧縮コイルばね４５の一端部を挿入保持させ、この状態で、ボス筒４２をその割り溝４４に支持リブ３８を挿入するようにして支持軸４１の外側に後側から嵌合させ、セルフタッピングねじ４６によりボス筒４２を取付軸４１に固定する。これにより、図１２に示すように、受け座３９がボス筒４２の内外両筒部４２ａ，４２ｂ間の環状深溝４３内に嵌合された状態となって飾り体１２がボス筒４２を介して受け座３９に前後方向に移動可能に支持される。また、圧縮コイルばね４５はボス筒４２の内外両筒部４２ａ，４２ｂ間に収納されて飾り体１２を後方に付勢し、常には飾り体１２を閉鎖状態に保持する。そして、操作部材２２の旋回アーム部２２ａは飾り体１２の開放時にはボス筒４２の後端面に接して該ボス部４２を介して飾り体１２を前方に押圧移動させるようになっている。
【００５５】
また、図１５に示すようにベルマウス１１の左右両側には切欠溝１１ａ（一方のみ図示）の上内面よりも下方に突出する突片状のストッパ部４７が一体に形成されている。この場合、ストッパ部４７がアンダーカットとなることなく、化粧枠１０を前後二分割形の成形型で成形できるようにするために、図１６に示すようにストッパ部４７をベルマウス１１の外面から突出させて該ストッパ部４７が切欠溝１１ａ内を外側から望むように形成している。
【００５６】
ここで、ストッパ部４７の形成位置につき説明する。すなわち、化粧枠１０は上下両側の突部１０ｂを本体３の上下両側の突部５ａに係合させることによって取り付けられる。その取り付け方として取扱説明書には先に上側の突部１０ｂを上側の突部５ａに係合させた後、化粧枠１０を押圧して下側の突部１０ｂを下側の突部５ａに係合させるようにすることを推奨している。これは、この推奨作業手順とは逆に、下側の突部１０ｂを下側の突部５ａに係合させた後、化粧枠１０を押圧して上側の突部１０ｂを上側の突部５ａに係合させるようにすると、上側の突部１０ｂが上側の突部５ａに係合する前に化粧枠１０の押圧をやめてしまった場合、化粧枠１０が脱落するおそれがあるからであり、推奨作業手順通りに行えば、仮に下側の突部１０ｂが下側の突部５ａに係合する前に化粧枠１０の押圧をやめてしまっても、上側の突部１０ｂが上側の突部５ａに引っ掛かっていることにより化粧枠１０が脱落することはないからである。
【００５７】
このようなことを考慮して、ストッパ部４７の位置は、図１７に示すように、上側の突部１０ｂを上側の突部５ａに係合させた状態で化粧枠１０を後方に押すとき、上側の突部１０ｂを中心に後方に回動するストッパ部４７の下端の軌跡Ｒ１よりも下方に操作部材２２の軸部２２ｃが存在し、図１８に示すように、下側の突部１０ｂを下側の突部５ａに係合させた状態で化粧枠１０を後方に押すとき、下側の突部１０ｂを中心に後方に回動するストッパ部４７の下端の軌跡Ｒ２よりも上に操作部材２２の軸部２２ｃが存在するような位置に設定されている。
【００５８】
このような位置にストッパ部４７を設けることにより、前記推奨作業手順で化粧枠１０を取り付ける場合には、ストッパ部４７は軸部２２ｃの上方を通過して図１９に示すように軸部２２ｃが切欠溝１１ｃ内に入り込んだ状態にするので、下側の突部１０ｂを下側の突部５ａに係合させることができる。推奨作業手順とは逆にした場合には、ストッパ部４７が軸部２２ｃに当接して化粧枠１０をそれ以上後方に回動させることができないようにして該化粧枠１０の上部が本体３のフランジ部５の上面に嵌まることのないようにする。
【００５９】
上述のように構成した本実施例によれば、飾り体１２は中央部の一箇所がボス筒４２によって化粧枠１０に支持され、且つ操作部材２２の旋回アーム部２２ａはそのボス筒４２を押圧することによって飾り体１２を開放動作させる構成で、飾り体１２の支持部と旋回アーム部２２ａの押圧部が同一箇所となるようにしたので、ボス筒４２とこれを嵌合支持する受け座３９との間にこじり力が作用するおそれがなく、ボス筒４２が受け座３９に対して円滑に摺動するようになって飾り体１２を円滑に開閉動作させることができる。
【００６０】
また、ボス部４２を界面活性形帯電防止剤を混入したプラスチックにより形成したことにより、換気運転時に室内空気に含まれる埃などがボス部４２に吸着されないようにすることができ、このため、ボス筒４２の内筒部４２ａと受け座３９との間に埃などが詰まってボス筒４２の円滑な摺動が阻害されるという事態の発生を未然に防止することができる。このことは、換気運転時に室内空気がベルマウス１１を通って屋外に排出されるため、ボス筒４２の周りを室内空気が集中して流れることを考慮すると、その防塵効果は大きく、ボス筒４２の円滑なる摺動動作を長期に渡り維持できるものである。
【００６１】
しかも、界面活性形帯電防止剤は潤滑作用を有するので、ボス筒４２の後面に操作部材２２の旋回アーム部２２ａが摺接して上下動する際の潤滑がボス部４２自身によって行われ、ボス筒４２の早期摩耗を防止できる。
【００６２】
また、化粧枠１０を本体３に取り付ける際、下側の突部１０ｂを下側の突部５ａに係合させた状態で化粧枠１０を押圧して上側の突部１０ｂを上側の突部５ａに係合させようとすると、ストッパ部４７が操作部材２２の軸部２２ｃに当接して化粧枠１０が斜め下向きになったまま、それ以上押圧移動できなくなり、取付手順が違っていることに気付くようになる。このため、前記推奨作業手順通りに化粧枠１０を本体３に取り付けることとなり、化粧枠１０が不完全な取り付け状態に装着されて脱落事故を招来するといった不具合を未然に防止できる。
【００６３】
その上、化粧枠１０を本体３に取り付けた状態では、図１９に示すように、ベルマウス１１のストッパ部４７が切欠溝１１ａ内に嵌まり込んでいる操作部材２２の軸部２２ｃよりも後方上部に位置するようになるので、例えば長期使用による経年変化により本体３の突部５ａに対する化粧枠１０の突部１０ｂの弾性係合力が弱くなって飾り体１２が操作部材２２の旋回アーム部２２ａにより前方に押圧された際などに突部１０ｂが突部５ａから外れたとしても、ストッパ部４７が操作部材２２の軸部２２ｃに引っ掛かるようになる。このため、化粧枠１０が本体３から脱落することをストッパ部４７によって防止できる。
【００６４】
図２０および図２１は本発明の第６実施例を示すもので、前記第５実施例と同一部分に同一符号を付して示し異なる部分のみ説明する。
この実施例ではストッパ部４７は設けられておらず、その代わりにボス筒４２の後面に掛合部材４８が取り付けられている。この掛合部材４８はフッ素系樹脂などの潤滑性に優れた材料或いはポリアセタール樹脂などの耐摩耗性に優れた材料により、前片部４８ａと後片部４８ｂとを上片部４８ｃで連ねたほぼ逆Ｕ字形に形成されている。なお、前片部４８ｃは後片部４８ｂよりも長く形成されている。
【００６５】
かかる掛合部材４８の取り付け構成は、前片部４８ａの前面側の上下両側に一対の弾性係合突起４８ｄおよび係止突起４８ｅを一体に突設すると共に、ボス筒４２の後端面の上下両側に係合孔４２ｃおよび４２ｄを形成し、弾性係合突起４８ｄを係合孔４２ｃに挿入することにより抜け止めすると共に、係止突起４８ｅを係合孔４２ｄに挿入することにより回り止めするというものである。
【００６６】
そして、化粧枠１０が本体３に取り付けられた状態では、掛合部材４８の前片部４８ａと後片部４８ｂとの間に操作部材２２の旋回アーム部２２ａが入り込んだ状態となり、旋回アーム部２２ａは掛合部材４８の前片部４８ａを介してボス筒４２を前方に押圧するようになっている。
【００６７】
このように構成した本実施例では、掛合部材４８は潤滑性或いは耐摩耗性に優れた材料により形成されているので、旋回アーム部２２ａが前片部４８ａに摺接して上下動するという事情があっても掛合部材４８が早期摩耗することがない。
【００６８】
また、前片部４８ａと後片部４８ｂとの間に旋回アーム部２２ａが存在していることにより、何らかの原因で化粧枠１０が本体３から外れたとしても、掛合部材４８が旋回アーム部２２ａに引っ掛かるので、化粧枠１０の落下事故を未然に防止することができる。
【００６９】
なお、本発明は上記し且つ図面に示す実施例に限定されるものではなく、次のような変更または拡張が可能である。
操作部材２２は垂直状態に支持しても良い。
操作部材２２を開閉用モータ２３の出力軸２３ａに直結して開閉用モータ２３により直接回動させるように構成しても良い。
飾り板１２の周壁部１２ａの後端部にパッキンを装着してより確実なシールおよび化粧枠１０への当接時の緩衝を図るようにしても良い。
ボス筒４２に加えて飾り体１２も界面活性形帯電防止剤を混入したプラスチックで形成して埃などの付着を防止するようにしても良く、化粧枠１０も同様の目的で界面活性形帯電防止剤を混入したプラスチックで形成しても良い。
【００７０】
ボス筒４２の後端面に旋回アーム部２２ａを直接当接させるものであって、該ボス筒４２を界面活性形帯電防止剤を混入したプラスチックで形成しない場合には、ボス筒４２の後端面に潤滑性或いは耐摩耗性に優れた材料で形成した板材を取り付けるようにしても良い。
パイプ用換気扇に限られず、天井用換気扇に適用しても良い。
【００７１】
【発明の効果】
以上説明したように、本発明によれば次のような効果を得ることができる。
請求項１記載の換気扇では、化粧枠の通気口を前後方向に移動する開閉体により開閉する構成としたので、換気運転停止時には、より確実にファンやファンモータを開閉体により隠すことができて外観の向上を図ることができると共に、外風の室内への侵入をより確実に防止でき、一方、換気運転時にあっては、開閉体は前方に平行移動することにより通気口を開放するので、ファンやファンモータが見え難く、一層の外観の向上を図ることができる。更に、開閉体を開放動作させる操作部材は開閉用モータを駆動源とするので、開閉動作を低騒音にて行うことができる。
また、操作部材は、通風胴部に形成された切欠凹部と起立片の引掛部との間に回動可能に支持されることにより、開閉体の後面から離されるので、操作部材が開閉体の後面に接触しつつ回動することはない。
しかも、操作部材の旋回アーム部は通気口を通して開閉体の後面に摺接するので、化粧枠に旋回アーム部を前方に突出させるための開口部を別に形成する必要がない。
【００７２】
請求項２記載の換気扇では、ベルマウスに操作部材の軸部を嵌め込む切欠凹部が形成されているので、化粧枠全体の前後方向の寸法を小さくできる。
【００７３】
請求項３記載の換気扇では、弾性部材は受け部に支持された摺動軸に対し軸方向に沿って後方に付勢するので、弾性部材の弾発力が摺動軸をこじるように作用するおそれがなく、開閉体の円滑なる前後方向移動を保証することができる。
【００７４】
請求項４記載の換気扇では、防塵筒部により、排出空気中に含まれる塵埃等が摺動軸に付着することを防止できるので、摺動軸の円滑な摺動を長期にわたって確保できる。
【００７５】
請求項５記載の換気扇では、飾り体は中央部の一箇所がボス部によって化粧枠に支持され、且つ操作部材の旋回アーム部はそのボス部を押圧することによって飾り体を開放動作させる構成で、飾り体の支持部と旋回アーム部の押圧部が同一個所となるようにしたので、ボス部とこれを嵌合支持する受け座との間にこじり力が作用するおそれがなく、ボス部が受け座に対して円滑に摺動するようになって飾り体を円滑に開閉動作させることができる。
【図面の簡単な説明】
【図１】本発明の第１実施例を通気口の開放状態で示す縦断側面図
【図２】通気口の閉鎖状態で示す図１相当図
【図３】分解斜視図
【図４】化粧枠への飾り板の支持構成を示す縦断側面図
【図５】受け部から突出した摺動軸の斜視図
【図６】操作部材の支持構成を示す斜視図
【図７】換気扇全体の斜視図
【図８】本発明の第２実施例を示す斜視図
【図９】要部の縦断側面図
【図１０】本発明の第３実施例を示す縦断側面図
【図１１】本発明の第４実施例を示す部分斜視図
【図１２】本発明の第５実施例を示す図２相当図
【図１３】化粧枠の斜視図
【図１４】ボス筒の斜視図
【図１５】ベルマウスの部分斜視図
【図１６】ストッパ部の縦断面図
【図１７】化粧枠を正しい手順で取り付ける際のストッパ部の軌跡を示す側面図
【図１８】化粧枠を誤った手順で取り付ける際のストッパ部の軌跡を示す側面図
【図１９】化粧枠を取り付けた後のストッパ部を示す側面図
【図２０】本発明の第６実施例を示す図２相当図
【図２１】掛合部材の斜視図
【符号の説明】
３は本体、４は円筒状主部、５はフランジ部、７はファンモータ、９はファン、１０は化粧枠、１１はベルマウス（通気口）、１２は飾り板（開閉体）、１３は受け部、１６は摺動軸、１６ａはリブ、１７は通気隙間、１８は圧縮コイルばね（弾性部材）、２１は開閉装置、２２は操作部材、２２ａは旋回アーム部、２２ｃは軸部、２３は巻取モータ、２４は巻取機構、２５は切欠凹部、２６は起立片、２８は長溝（引掛部）、２９は巻取ローラ、３０はワイヤ、３１は板ばね（弾性部材）、３３は引張りコイルばね（弾性部材）、３８は支持リブ、３９は受け座、４２はボス筒（ボス部）、４５は圧縮コイルばね（弾性部材）、４７はストッパ部、４８は掛合部材、４８ａは前片部、４８ｂは後片部、４８ｃは上片部である。
【図１】
0003571400.tif 000002
【図２】
0003571400.tif 000003
【図３】
0003571400.tif 000004
【図４】
0003571400.tif 000005
【図５】
0003571400.tif 000006
【図６】
0003571400.tif 000007
【図７】
0003571400.tif 000008
【図８】
0003571400.tif 000009
【図９】
0003571400.tif 000010
【図１０】
0003571400.tif 000011
【図１１】
0003571400.tif 000012
【図１２】
0003571400.tif 000013
【図１３】
0003571400.tif 000014
【図１４】
0003571400.tif 000015
【図１５】
0003571400.tif 000016
【図１６】
0003571400.tif 000017
【図１７】
0003571400.tif 000018
【図１８】
0003571400.tif 000019
【図１９】
0003571400.tif 000020
【図２０】
0003571400.tif 000021
【図２１】
0003571400.tif 000022